(57)【特許請求の範囲】
【請求項１】
所定の防水レベルに密閉された筐体と、
蓄電池を収容する電池容器と、を備え、
前記電池容器が、
前記筐体内に配線されている電気回路と接続するための第一接続部と、
前記筐体内の水分を吸着するための吸湿剤を乾燥させるためのヒーターと、
前記筐体から取り外した際に、収容している前記蓄電池および前記ヒーターに電圧を印加させるために、外部電源と接続するための第二接続部と、を有し、
前記電池容器は、外部から取り外し可能に前記筐体に格納される、前記蓄電池を電源に用いて稼動される電子機器。
【請求項２】
前記電池容器は、前記吸湿剤と前記ヒーターとを収容するための収容部を備え、
前記ヒーターにおける熱の発生面が前記吸湿剤と対向する位置となるように該ヒーターと該吸湿剤とが前記収容部内において配置される、請求項１に記載の電子機器。
【請求項３】
前記吸湿剤を収容し、該吸湿剤により前記筐体内における水分を吸着して該筐体内を乾燥させるように外部から取り外し可能に該筐体に取り付けられた乾燥ユニットをさらに備え、
前記電池容器及び前記吸湿剤が前記筐体から取り外された状態において、前記乾燥ユニット内の吸湿剤を前記収容部に収容して乾燥させる、請求項２に記載の電子機器。
【請求項４】
前記電池容器は、前記ヒーターの発熱温度を管理するためのサーモスタットを備え、
前記サーモスタットが、前記ヒーターの発熱温度が、所定期間、所定の温度範囲にあるか否かを検知する熱検知部と、
前記接続部と前記ヒーターとを接続する回路のオンおよびオフを切り替えるスイッチ部とを有し、
前記熱検知部が、所定期間、所定の温度範囲に前記ヒーターの発熱温度があることを検知した場合、前記スイッチ部が回路をオフにする請求項１から３のいずれか１項に記載の電子機器。
【請求項５】
前記吸湿剤は、含水量に応じて色が変化するものである、請求項１から４のいずれか１項に記載の電子機器。
【発明の詳細な説明】
【技術分野】
【０００１】
本発明は、防水レベルに筐体が密閉されている電子機器に関するものであって、特に、該電子機器の筐体内を乾燥させるための吸湿剤を有する電子機器に関する。
【背景技術】
【０００２】
従来から湿気対策として様々な吸湿器が利用されている。吸湿器としては、例えば、ペルチェ素子を用いたもの、または吸湿剤を用いたものがある。なお、利用可能な吸湿剤としては、水分の吸着性を示す物質（例えば、シリカゲル）、または潮解性を示す物質（例えば、塩化カルシウム）などが挙げられる。
【０００３】
例えば、特許文献１、２、および３では、吸湿剤を用いた吸湿器（除湿装置）が開示されている。より具体的には、特許文献１では、水分吸着剤（吸湿剤）を備える通風体、この通風体に送風するファン、この通風体を加熱再生する電熱ヒーター、およびファン駆動モータの電源となる充電式蓄電池等を備えた除湿装置が開示されている。この除湿装置では、通風体の水分吸着剤が吸着能力を失った場合、電熱ヒーターにより加熱加温された熱風をファンにより通風体に吹き付けることで水分吸着剤を乾燥再生させることができる。
【０００４】
また、特許文献２では、吸湿剤、この吸湿剤に通風する送風装置、吸湿剤の乾燥時に加熱するヒーター、送風装置を駆動させる蓄電池、この蓄電池を充電する充電回路を備えた除湿装置が開示されている。この除湿装置では、充電回路、ヒーター、および送風装置に交流電源を接続して、吸湿剤の乾燥を行うことができる。
【０００５】
また、特許文献３では、吸湿剤カートリッジおよびヒーターを有する乾燥ユニットと、ファンを有する吸湿ユニットとを備えた吸湿器が開示されている。この吸湿器では、乾燥ユニットにおいて吸湿剤カートリッジが取り外し自在となっており、この吸湿剤カートリッジを使って、吸湿を行うことができる。また、吸湿剤カートリッジの吸湿容量が満杯になると乾燥ユニットにとりつけ乾燥再生できるように構成されている。
【先行技術文献】
【特許文献】
【０００６】
【特許文献１】実開平２−９５５３１号公報
【特許文献２】特開平３−２７５１１５号公報
【特許文献３】特許第３３１９７６５号公報
【発明の概要】
【発明が解決しようとする課題】
【０００７】
ところで、電子機器は一般的にその内部に水気を嫌う部材を備えている。このため、電子機器は、水気を含む場所等で利用される場合、該電子機器に防水対策を施し、外部からの浸水を防ぐように工夫される。しかしながら、このように防水対策を施した電子機器であっても、この電子機器をとりまく外界の急激な温度変化等によりその内部に結露が生じる場合がある。
【０００８】
つまり、電子機器内に収容されている電子回路の発熱等に起因して内部の圧力が上昇し、電子機器に誤作動が生じる場合がある。このため、外部からの浸水を防げる程度（防水レベル）には電子機器内部は密閉されているが、圧力の上昇を防ぐために外気が浸入できるように完全な密閉状態とはなっていない。それゆえ、湿気を含む空気が電子機器内に浸入してくるため結露が発生する場合がある。
【０００９】
そこで、上述した結露対策として、例えば、特許文献１、２、および３に開示されるように、電力を消費しない吸湿剤を利用する構成が考えられる。
【００１０】
しかしながら、これら従来技術は、水分の吸着力が低下した吸湿剤を再生可能とする構成であるが、防水レベルに密閉された電子機器内での利用を想定した構成となっていない。このため、密閉された電子機器内の乾燥を目的として従来技術を利用した場合、ユーザに強いる負担が増す。
【００１１】
より具体的には、特許文献１、２に開示されている発明の装置は除湿装置であり、構成要素として備える充電池は、ファンのモータ駆動用電源として供されるものである。このため、特許文献１、２の除湿装置を防水レベルに密閉された電子機器内部で利用する場合、電子機器内部に除湿装置を取り付け可能とする機構を設ける必要がある。また、電子機器の稼動用と、除湿装置のファンのモータ駆動用とに電力が消費されるため、充電池の充電頻度が多くなりユーザの負担が増す。
【００１２】
また、特許文献３の吸湿器は、乾燥ユニットと吸湿ユニットとを別体に設けた構成となっており、吸湿剤の再生を行う場合、吸湿ユニットから吸湿剤カートリッジ（吸湿剤）を取り外し乾燥させる構成である。このため、特許文献３の吸湿器を、防水レベルに密閉された電子機器内部で利用する場合、乾燥ユニットを電子機器本体とは別に常時準備しておかなければならず、ユーザの負担が大きくなる。
【００１３】
本発明は、上述した問題点に鑑みてなされたものであり、その目的は、ユーザ負担を増大させることなく、防水レベルに密閉された電子機器内部に配置される吸湿剤を効率的に乾燥させ、再生可能とすることができる電子機器を実現することにある。
【課題を解決するための手段】
【００１４】
本発明に係る電子機器は、上記した課題を解決するために、所定の防水レベルに密閉された筐体と、当該電子機器を稼動させるための電源としての蓄電池を収容する電池容器と、を備え、前記電池容器が、前記筐体内に配線されている電気回路と接続するための第一接続部と、前記筐体内の水分を吸着するための吸湿剤を乾燥させるためのヒーターと、前記筐体から取り外した際に、収容している前記蓄電池および前記ヒーターに電圧を印加させるために、外部電源と接続するための第二接続部と、を有し、前記電池容器は、外部から取り外し可能に前記筐体に格納される。
【００１５】
ここで、所定の防水レベルに密閉されているとは、前記筐体に収容される電子部品や電子回路等が水気により不具合が生じないように、前記筐体外部からの浸水を防止できる程度に密封されているということである。すなわち、この電機機器の筐体は、完全な密閉状態にあるということではない。
【００１６】
上記した構成によると、本発明に係る電子機器では、蓄電池と第一接続部とを有している。このため、蓄電池を電源として電子機器を稼動させることができる。また、電子機器は、蓄電池を収容する電池容器が、前記吸湿剤を乾燥させるためのヒーターと、前記接続部とを有している。このため、蓄電池を充電するときに、ヒーターを稼動させて、吸湿剤の乾燥も併せて行うことができる。
【００１７】
このように、本発明に係る電子機器は、蓄電池の充電時間中に水分を含有する吸湿剤の乾燥を併せて行うことができるため、ユーザに負担をかけることなく効率的に吸湿剤を再生させることができる。また、上記蓄電池は、電子機器の稼動用の電源としてのみ利用されるため、ヒーターの稼動用電源としても利用される構成と比較して、蓄電池の充電回数を低減させることができ、ユーザに強いる負担が増大することがない。
【００１８】
したがって、ユーザ負担を増大させることなく、防水レベルに密閉された電子機器内部に配置される吸湿剤を効率的に乾燥させ、再生可能とすることができるという効果を奏する。
【００１９】
なお、電池容器が備える吸湿剤としては、例えば、水分を吸着し、加熱により水分を放出するシリカゲル等が利用できる。
【００２０】
また、本発明に係る電子機器は、前記電池容器は、前記吸湿剤と前記ヒーターとを収容するための収容部を備え、前記ヒーターにおける熱を発生させる面が前記吸湿剤に向けられるように該ヒーターと該吸湿剤とが前記収容部内において配置されてもよい。
【００２１】
前記収容部を備えるため、電池容器は吸湿剤とヒーターとを一緒に収容しておくことができる。このため、電池容器の筐体への取り付け、あるいは取り外しを行うたびに吸湿剤とヒーターとの取り付け、あるいは取り外しを別途行う必要がなく、ユーザの負担を軽減できる。
【００２２】
また、本発明に係る電子機器は、前記吸湿剤を収容し、該吸湿剤により前記筐体内における水分を吸着して該筐体内を乾燥させるように外部から取り外し可能に該筐体に取り付けられた乾燥ユニットをさらに備え、前記電池容器及び前記吸湿剤が前記筐体から取り外された状態において、前記乾燥ユニット内の吸湿剤を前記収容部に収容して乾燥させるように構成されていてもよい。
【００２３】
上記した構成によると乾燥ユニットを備えているため、電子機器内の所望の位置に吸湿剤を配置することができる。また、前記電池容器及び前記吸湿剤が前記筐体から取り外された状態において、この吸湿剤を上記電池容器が備える収容部に収容させることができるため、乾燥ユニット内の吸湿剤が吸着した水分を乾燥させることができる。
【００２４】
また、本発明に係る電子機器では、前記電池容器は、前記ヒーターの発熱温度を管理するためのサーモスタットを備え、前記サーモスタットが、前記ヒーターの発熱温度が、所定期間、所定の温度範囲にあるか否かを検知する熱検知部と、前記接続部と前記ヒーターとを接続する回路のオンおよびオフを切り替えるスイッチ部とを有し、前記熱検知部が、所定期間、所定の温度範囲に前記ヒーターの発熱温度あることを検知した場合、前記スイッチ部が回路をオフにするように構成されていてもよい。
【００２５】
上記した構成によると、前記電池容器が、前記検知部およびスイッチ部を有するサーモスタットを備えているため、ヒーターの発熱温度が吸湿剤を乾燥させるために必要な温度以上とならないように管理することができる。
【００２６】
また、本発明に係る電子機器は、前記吸湿剤は、含水量に応じて色が変化するものであってもよい。前記吸湿剤が含水量に応じて色が変化するため、前記ヒーターによる加熱によって、該吸湿剤の乾燥が完了したかどうか視認することができる。
【発明の効果】
【００２７】
本発明は以上に説明したように構成され、防水レベルに密閉された電子機器内部に配置される吸湿剤を効率的に乾燥させ、再生可能とすることができるという効果を奏する。
【図面の簡単な説明】
【００２８】
【図１】本発明の実施形態に係るデジタル秤の斜め前方から見た外観構成を示す斜視図である。
【図２】図１のデジタル秤の断面図である。
【図３】図１のデジタル秤の底面図である。
【図４】本発明の実施形態に係るデジタル秤の電池を収容した電池ボックスの外観構成を示す斜視図である。
【図５】図４の電池ボックス内の配線の一例を示す回路図である。
【図６】本発明の他の実施形態に係るデジタル秤の乾燥ユニットの分解図である。
【図７】図６における乾燥ユニットの取り付け位置を示すデジタル秤の断面図である。
【発明を実施するための形態】
【００２９】
以下、本発明の好ましい実施の形態として、電子機器の一例としてデジタル秤を挙げ、図面を参照して説明する。なお、以下では全ての図を通じて同一又は対応する構成部材には同一の参照符号を付して、その説明については省略する。
【００３０】
本発明の実施の形態に係る電子機器は、防水レベルに筐体が密閉されていて、該電子機器の筐体内を乾燥させるための吸湿剤を有する電子機器であれば、これに該当する。以下ではデジタル秤を例に取って説明するが、これに限定されるものではない。
【００３１】
本実施の形態に係るデジタル秤１は、物品の重量を計量し、当該計量により得られた計量値を数値化して電気的に表示する電子機器であれば、これに該当する。以下には、計量皿に載置した物品の重量（重さ）を計量し、その計量値を表示部においてデジタル表示する、いわゆるデジタル式上皿自動秤を例示する。なお、デジタル秤１は、例えば、歪ゲージ式ロードセルを利用して物品の重量を求める構成となっている。
【００３２】
ところで、農水産品、生鮮食品等を物品とする場合、物品となる魚介類、野菜等は多くの水分を含んでおり、デジタル秤１を取り巻く環境は高湿度なものとなる。また、魚介類や野菜等を扱う環境では、高度な食品衛生管理が要求される。このため、デジタル秤１を頻繁に洗浄したり消毒したりする必要があり、デジタル秤１に対して洗浄に対応可能な防水性（あるいは耐水性）が要求される。
【００３３】
そこで、本実施の形態に係るデジタル秤１は、食品加工場等、水により濡れる環境での使用も可能とするように、デジタル秤本体部３における接合部１０にシール部材（例えば、ゴムパッキング等）９を配設し取り付け、浸水を防ぐ構成となっている。
【００３４】
（デジタル秤の構成）
上述したデジタル秤１のより具体的な構成について、図１から図３を参照して説明する。
【００３５】
図１は、本発明の実施形態に係るデジタル秤１の斜め前方から見た外観構成を示す斜視図である。図２は、図１のデジタル秤１の断面図である。なお、デジタル秤１において、表示部３４が備えられている側を前方、表示部３４が備えられている側と対向する側を後方とすると、図２は前方から後方に沿ってデジタル秤１を垂直に切り出した場合の断面構造を示す。図３は、図１のデジタル秤１の底面図である。
【００３６】
デジタル秤１は、図１に示すように、その外観形状において計量皿２、およびデジタル秤本体部３を備えている。
【００３７】
図１および図２に示すように、計量皿２は、物品（被計量物）を載置するための皿である。計量皿２は、その上面側に物品が載置される。また、下方側では皿受３１と当接しており、該皿受３１により支持されている。そして、載置された物品の荷重が下方側で支持する皿受３１に加わるように構成されている。
【００３８】
デジタル秤本体部３は、筐体４と、この筐体４に収容又は取り付けられた部材とを含む。筐体４は、例えばステンレスで構成されており、また、この筐体４を構成する部材もステンレスで構成されている。筐体４の形状は任意である。
【００３９】
以下では、筐体４が扁平な直方体形状に形成されている構成を例示する。筐体４は、底板５とカバー部材６とを備える。底板５は、例えば、全体として平板状に形成されている。カバー部材６は、例えば、全体として、下面が開放され、前面が上方に傾斜し、かつ上面の中央に開口８を有する中空の扁平な半開放の直方体形状に形成されている。カバー部材６の下縁部は全周に渡って内方に折り曲げられていて、当接部６ａを構成している。この当接部６ａに底板５の外縁部５ａが当接し、ねじ２２によって、この当接部６ａと底板５の外縁部５ａとが接合されている。この接合箇所が、底板５とカバー部材６との接合部１０を構成している。
【００４０】
このようにして、底板５とカバー部材６とを用いて扁平は直方体状の筐体４が形成されている。カバー部材６の当接部６ａと底板５の外縁部５ａとの間にはシール部材（例えばゴムパッキング等）９Ａが配置されていて、これにより、カバー部材６の当接部６ａと底板５の外縁部５ａとの間が所定の防水レベル（防水仕様）にシールされている。
【００４１】
筐体４には、皿受３１の下部、ロードセル４０、制御基板４１、電池ボックス３８、及び電気配線（不図示）等が収容されている。底板５の一部には開口５ｂが形成されていて、この開口５ｂから電池ボックス３８をデジタル秤本体部３に収容することができるようになっている。なお、電池ボックス３８が本発明の電池容器に相当する。
【００４２】
底板５の開口５ｂは板状の底蓋７によって塞がれている。底蓋７は、ねじ２５によって、底板５に取り外し可能に取り付けられている。底蓋７と底板５のとの間にはシール部材（例えばゴムパッキング等）９Ｂが配置されていて、これにより、底蓋７と底板５との間が上述の所定の防水レベルにシールされている。
【００４３】
ロードセル４０は、起歪体２９と、この起歪体２９の所定の部位に貼付された歪ゲージ３０とを備えている。また、皿受３１は、水平に延在する受け部３１ａと、この受け部３１ａの中央部に下方に突設された取り付け部３１ｂとを備えている。そして、起歪体２９がその一端を支持されるようにして片持ち状に底板５の上面に取り付けられている。そして、起歪体２９の他端部が皿受３１の取り付け部３１ｂを支持している。
【００４４】
皿受３１の取り付け部３１ｂの上端部は、カバー部材６の開口８から上方に突出しており、その上端に受け部３１ａが位置し、この受け部３１ａに計量皿２が取り付けられている。これにより、計量皿２に物品が載置されると、当該物品の荷重が皿受３１を介してロードセル４０の起歪体２９に加わり、それによる起歪体２９の歪みが歪ゲージ３０によって検出される。このようにして、計量皿２に載置された物品の重量が検出される。
【００４５】
さらに、カバー部材６の開口８の周縁部６ｂと皿受３１の受け部３１ａの外縁部との間にダイヤフラム１１が配設されている。これにより、カバー部材６と皿受３１との間が上述の所定の防水レベルにシールされている。ダイヤフラム１１は、その両端部を、ねじ２３、２４等によって気密（水密）にカバー部材６の開口８の周縁部６ｂ及び皿受３１の受け部３１ａの外縁部に取り付けられている。また、ダイヤフラム１１は、柔軟性に富んだ材料で構成され、皿受３１が上下方向に移動する際に実質的に当該皿受３１に反力を及ぼさないように構成されている。これにより、筐体４の内部を外部からシールした状態で、計量皿２に載置された物品の重量を正確に計量することができる。
【００４６】
また、カバー部材６の前面には表示部３４が設けられ、この表示部３４の背後に位置するように、カバー部材６の内面に制御基板４１が取り付けられている。制御基板４１は、例えば、電池ボックス３８に近接して配置されている。
【００４７】
上述のようにして、皿受３１の下部、ロードセル４０、制御基板４１、及び電池ボックス３８が筐体４に収容されている。ここで、計量皿２、起歪体２９、歪ゲージ３０、皿受３１、およびロードセル４０が計量機構を構成している。また、電池ボックス３８、電池３９、制御基板４１、及び所要の電気配線等（図示せず）が電装品を構成している。
【００４８】
筐体４（底板５及びカバー部材６）の外面にはさらに、電源ＯＮ−ＯＦＦシートキースイッチ３２、操作シートキースイッチ３３、及び高さ調整脚３５が配設されている。
【００４９】
電源ＯＮ−ＯＦＦシートキースイッチ３２は、デジタル秤１の電源のオンおよびオフを切り替えるものであり、操作シートキースイッチ３３は、各種設定等を行うための入力手段である。各種設定としては、零点補正、風袋引き等の設定等が挙げられる。
【００５０】
また、表示部３４は、計量値等の情報を表示させるものであり、ＬＣＤ（Liquid crystal display）などにより実現できる。
【００５１】
高さ調整脚３５は、デジタル秤本体部３を支持するための脚であり、筐体４における底面の４隅に設けられ、デジタル秤本体部３を水平位置で支持できるように、それぞれの脚の高さが調節可能となっている。
【００５２】
底蓋７は、上述のように、デジタル秤本体部３の内部に収容されている電池ボックス３８の開口部５ｂを閉止するためのものである。すなわち、底蓋７はデジタル秤本体部３に対して着脱可能となっている。そして、底蓋７をデジタル秤本体部３から取り外すと、電池ボックス３８の開口部５ｂが外部に曝されるようになっている。この開口部５ｂから電池３９を収容した電池ボックス３８を筐体４の外部に取り出すことができる。
【００５３】
なお、底蓋７のはめ込み部分には上述のようにシール部材９Ｂが取り付けられており、外部からの浸水を防ぐことができるようになっている。また、電池３９が本発明の蓄電池に相当する。
【００５４】
ロードセル４０は、計量皿２に載置された物品から加えられた荷重から、物品の重量を求めるものである。ロードセル４０は、力に比例して変形する起歪体２９とその変形量（歪）を測定する歪ゲージ３０とを備えており、物品から起歪体２９に加えられた荷重による起歪体２９の変形量（歪）から、該物品の重量を検出する。
【００５５】
より具体的には、ロードセル４０には、例えば、歪みに比例して電気抵抗が変化する４箇所の歪ゲージ３０でホイートストンブリッジが構成されている。そして、このホイートストンブリッジからは、印加電圧に比例し、かつ、歪みに比例した非常に小さい電圧信号を制御基板４１に対して出力する。制御基板４１ではこの小さな電圧信号を増幅させ、物品の重量を数値として表示部３４で表示できるように制御する。
【００５６】
制御基板４１は、デジタル秤１の各種制御を行うものである。制御基板４１は、デジタル秤本体部３において、デジタル秤１の前方部、すなわち、表示部３４が備えられている側に設けられている。図２の例では、制御基板４１は、表示部３４の背面側に設けられる。
【００５７】
筐体４の内部に備えられている電池ボックス３８は、上述したように電池３９を収容するものである。電池ボックス３８は、不図示の電極を備え、該電極は不図示の配線を介して制御基板４１の電力供給端子（不図示）に接続される。なお、電池ボックス３８の構成の詳細については後述する。
【００５８】
また、図３に示すようにデジタル秤１の筐体４の底部２０には、デジタル秤１の持ち運びを容易とするために、該底部２０からデジタル秤１の上方側に向かって窪んだ一対の凹部２８が設けられている。そして、これら一対の凹部２８それぞれの一側面は、防水透湿性素材２７から構成されている。
【００５９】
上述したように、デジタル秤１は、防水性を高めるために、接合部１０等をシール部材９Ａ、９Ｂにより塞ぎ、かつ筐体４と皿受３１との間をダイヤフラム１１でシールしているため、外部から密閉された構造となる。
【００６０】
しかしながら、デジタル秤１の計量精度を高めるためには、デジタル秤本体部３（より具体的には筐体４）の内外の気圧の均衡を保つ必要がある。そこで、本実施の形態に係るデジタル秤１では、水がかかる可能性が小さい底部２０の凹部２８の側面に防水透湿性素材２７を用いて気圧調整を行うことができるようになっている。
【００６１】
なお、この防水透湿性素材２７としては、ポリテトラフルオロエチレンを延伸加工したフィルムとポリウレタンポリマーを複合化して作った素材、いわゆるゴアテックス（登録商標）を用いることができる。
【００６２】
このように、本実施の形態に係るデジタル秤１は、デジタル秤本体部３内外の気圧を均衡に保つ必要があるため、底部２０における一部に防水透湿性素材２７を用いている。このため、筐体４の内部に防水透湿性素材２７を通じて湿気を含む空気が入り、デジタル秤１を取り巻く外界の急激な温度変化によって結露が生じやすくなる。なお、デジタル秤１を取り巻く外界の急激な温度変化としては、冷凍された加工品の重量を計量した後、高温のお湯によって洗浄がなされた場合などが想定される。
【００６３】
そこで、デジタル秤１では、生じた結露により電池３９、制御基板４１の電子回路、およびロードセル４０の歪ゲージ３０など水気を嫌う部材に悪影響を与えないようにするため、吸湿剤１４を電池ボックス３８が備える収容部５４に収容して、筐体４内に配置できるようになっている。
【００６４】
（電池ボックスの構成）
以下において、図４、５を参照して電池ボックス３８の構成について詳細に説明をする。図４は、本発明の実施形態に係るデジタル秤１の電池３９を収容した電池ボックス３８の外観構成を示す斜視図である。図５は、図４の電池ボックス３８内の配線の一例を示す回路図である。
【００６５】
図４に示すように、電池ボックス３８は、上面が開口した（すなわち、開口部５ｂを有した）直方体形状をしている。電池ボックス３８の内部には複数の電池３９（図４の例では４つの電池３９）を所定位置に配置するための仕切り部５０と、配置した電池３９を押圧して電池ボックス３８内に固定する固定部５１とが設けられている。
【００６６】
電池３９は、図４に示すように円柱形状をしている。そして、この電池３９を電池ボックス３８に収容した際に、導通するように連接した２つの電池３９の連接方向における端部と当接する電池ボックス３８の側面５２ａ、５２ｂの中央部分に、仕切り部５０が形成されている。
【００６７】
この仕切り部５０は、電池ボックス３８の側面５２ａまたは側面５２ｂから、該電池ボックス３８内部に向かって突出し、かつ電池ボックス３８の底面５３から上方に立設した板形状をしている。この仕切り部５０により複数の電池３９を所定位置に収めることができる。
【００６８】
また、仕切り部５０が設けられている電池ボックス３８の側面５２ａ、５２ｂとは異なる側面、すなわち、連接した電池３９が並列して設置される方向に設けられた側面５２ｃ、５２ｄの上端部には、電池３９の周形状に沿って湾曲した板形状の固定部５１が設けられている。そして、この固定部５１と底面５３とで挟み込むことにより電池３９を電池ボックス３８内に固定することができる。
【００６９】
図４の例では、電池ボックス３８は、導通するように連接した２つの電池３９を、２列に並置している。このため、固定部５１は、側面５２ｃ、５２ｄそれぞれにおいて、各電池３９の収容位置に応じた位置（図４の例では側面５２ｃ、５２ｄそれぞれにおいて２箇所ずつ）に設けられることとなる。
【００７０】
このように、電池ボックス３８では、仕切り部５０により電池３９を所定位置に配置させ、固定部５１により電池ボックス３８内に固定するようにできる。このため、電池ボックス３８を筐体４から取り外したり、筐体４内に取り付けたりしたとしても電池３９が電池ボックス３８内から抜け落ちることがない。
【００７１】
また、収容部５４の側面５２ａ、５２ｂそれぞれにおける電池３９と当接する位置には、不図示の電極が備えられ、該電極は不図示の端子と接続されている。そして、この端子を介して、配線を通じて制御基板４１の電力供給端子（不図示）に接続されように構成されている。
【００７２】
より具体的には、本実施形態では、電池ボックス３８の側面５２ａの外側面にスナップ端子等により実現できる秤電源コネクタ２６が設けられており、電池ボックス３８をデジタル秤本体部３内に収容した際には、この秤電源コネクタ２６を介して電池ボックス３８と制御基板４１の電力供給端子との接続を行うことができる。なお、秤電源コネクタ２６は、本発明の第一接続部に相当する。
【００７３】
さらにまた、これら電極は、電池ボックス３８の側面５２ｂの外側面に備えられたピンインサートコネクタ１７とも接続されている。なお、ピンインサートコネクタ１７が本発明の第二接続部に相当する。
【００７４】
収容部５４に収容されている電池３９は、蓄電池（二次電池）であり、電池３９を電池ボックス３８に収容したまま充電を行うことができるようになっている。このため、電池ボックス３８の側面５２ｂの外側面には、電源（例えば、商用電源または家庭用電源）につながっているＡＣアダプタ１９と接続させるために、ピンインサートコネクタ１７が設けられている。
【００７５】
つまり、電池ボックス３８に収容している電池３９を充電する際、このピンインサートコネクタ１７とＡＣアダプタ１９のケーブルの先端部に備えられているソケットインサートコネクタ１８と嵌合させる。そして、ＡＣアダプタ１９が電源からの交流電圧を直流電圧に変え、該直流電圧を電池ボックス３８内に収容している電池３９に引加させる。
【００７６】
さらにまた、電池ボックス３８の側面５２ｂの外側面には、上述したピンインサートコネクタ１７に加えて、収容部５４が設けられている。
【００７７】
収容部５４は、吸湿剤１４と、この吸湿剤１４を乾燥させるためのヒーター１２とを収容するものであって、上面が開口した直方体形状をしている。そして、この直方体形状における長手の側面のうちの一つ（図４では側面６１ｃ）で電池ボックス３８の側面５２ｂと接合されている。
【００７８】
収容部５４に収容される吸湿剤１４は、例えば、水分を吸着し、加熱により水分を放出するシリカゲルである。また、シリカゲルの水分の吸着力の状態を示すために、吸湿剤１４には、塩化コバルトなどの水分の指示薬を添加している。このため、吸湿剤１４の水分の吸着力の有無を色変化により認識することができる。
【００７９】
また、この吸湿剤１４は、図４に示すように板形状をしており、この吸湿剤１４の両端部の縁には凸部（不図示）が形成されている。そして、収容部５４への収容時において、吸湿剤１４の両端部が収容部５４の側面６１ａ、および６１ｂと当接する。一方、収容部５４における吸湿剤１４の両端部と当接する側面６１ａ、６１ｂには、この凸部と嵌合する凹部（不図示）が形成されている。そして、吸湿剤１４の凸部を側面６１ａ、６１ｂに形成された凹部に嵌めこみ固定することができる。これにより、吸湿剤１４は、その端部が収容部５４の側面６１ａ、および６１ｂと当接し、かつ収容部５４の底面５３に立設するように配置される。
【００８０】
なお、収容部５４において、電池ボックス３８の側面５２ｂと接する側、すなわち図４における収容部５４の側面６１ｃ側に吸湿剤１４が配置され、側面６１ｃと対向する側面６１ｄ側にヒーター１２が取り付けられている。ヒーター１２の発熱により吸湿剤１４を効果的に乾燥させることができるように両者は近接し、かつヒーター１２の発熱面が吸湿剤１４と対向するように配置されている。
【００８１】
ヒーター１２は、ピンインサートコネクタ１７と接続されており、電池３９の充電時に該電池３９に印加する電圧が、このヒーター１２にも印加されるようになっている。このため、本実施の形態に係るデジタル秤１では、電池ボックス３８に収容されている電池３９の充電時に、ヒーター１２を稼動させて吸湿剤１４を乾燥させることができる。
【００８２】
より具体的には、図５に示すように、ピンインサートコネクタ１７を介して直流電圧が電池３９とヒーター１２とに印加される。これにより、電池３９の充電を行うことができるとともに、ヒーター１２を稼動させて吸湿剤１４の乾燥を行うことができる。なお、電池３９では、充電回路中にダイオード２１があり、一次側には電流が戻らないようになっている。
【００８３】
また、電池ボックス３８が有する収容部５４は、ヒーター１２の発熱温度が所定温度以上に上昇しないように、サーモスタット１６をさらに備えている。サーモスタット１６は、ヒーター１２の発熱温度を検知する熱検知部１３と、該熱検知部１３が、ヒーター１２の発熱温度が所定期間、所定温度の範囲にあることを検知すると、回路のオンおよびオフを切り替えるスイッチ１５とを有してなる構成である。すなわち、サーモスタット１６では、熱検知部１３がヒーター１２の発熱温度が所定期間、所定温度の範囲にあることを検知すると、スイッチ１５が、ヒーター１２とピンインサートコネクタ１７とを接続する回路をオンからオフに切り替える。
【００８４】
なお、本実施形態では、吸湿剤１４としてシリカゲルを利用している。このシリカゲルは、加熱して１００℃から２００℃の温度を一定時間維持すると水分が放出することが知られている。このため、サーモスタット１６では、熱検知部１３が所定期間、ヒーター１２の発熱温度が１００℃から２００℃の範囲にあることを検知すると、スイッチ１５が、該ヒーター１２とピンインサートコネクタ１７とを接続する回路をオンからオフに切り替える。そして、ヒーター１２への電圧の印加を停止させる。なお、熱検知部１３は、例えば、バイメタルまたは形状記憶合金による機械式検知を利用して実現できる。
【００８５】
上述したように、本実施の形態に係るデジタル秤１では、電池ボックス３８をデジタル秤１の筐体４から着脱自在となっている。そして、電池ボックス３８に収容した電池３９を充電する際は、筐体４から電池ボックス３８と取り外し、ＡＣアダプタ１９を通じて電源と接続する。そして、この電源から印可される電圧（正確には、ＡＣアダプタ１９により直流電圧に変換された電圧）により電池３９の充電を行う。また、電池３９の充電時に、ヒーター１２にも電圧を印加させて稼動させる。そして、ヒーター１２の発熱で水分を吸着した吸湿剤１４を乾燥させ、吸湿剤１４の水分の吸着力を回復させる。
【００８６】
このように、電池ボックス３６及び吸湿剤１４が筐体４から取り外された状態において、充電と吸湿剤１４の乾燥とを同時に行い、電池３９の充電と吸湿剤１４の乾燥が完了したら、ＡＣアダプタ１９を電池ボックス３８から切り離す。そして、電池ボックス３８を図１に示すように筐体４に取り付け、底蓋７により開口部５ｂを塞ぎ、電池ボックス３８を筐体４の内部に収容する。
【００８７】
次に、以上のように構成されたデジタル秤１の作用効果を説明する。
【００８８】
デジタル秤１は、例えば、冷凍された加工品の重量を計量するのに使用される。そうすると、計量時にデジタル秤本体部３の内部に一対の防水透湿性素材２７それぞれを通じて湿気を含む空気が侵入する。そして、計量が終了すると、例えば、高温のお湯によって洗浄がなされる。この場合、何ら結露対策が講じられていない場合には、デジタル秤本体部３の筐体４の内部の湿気（水分）が結露しやすくなる。しかしながら、本実施の形態のデジタル秤１には、電池ボックス３８が吸湿剤１４を備えているので、この吸湿剤１４によって筐体４の内部の湿気が吸着される。このため、筐体４の内部における結露を防止することができる。
【００８９】
また、吸湿剤１４とヒーター１２とを備えた電池ボックス３８は、筐体４の外部から取り外し可能に取り付けられている。そして、電池ボックス３８を筐体４から取り外して、ＡＣアダプタ１９を通じて電源に接続し、電池ボックス３８に収容されている電池３９を充電することができる。また、電池３９の充電時、電源からの電圧がヒーター１２にも印加されるように構成されているため、この電池３９の充電と同時に、電池ボックス３８が備えるヒーター１２を稼動させて前記吸湿剤１３を乾燥させることができる。
【００９０】
つまり、デジタル秤１の計量及び洗浄は繰り返し行なわれるので、いずれ吸湿剤１４の含水量が大きくなり水分吸着能力が失われるが、電池３９の充電時に、この吸湿剤１４の乾燥を同時に行うことができる。そして、吸湿剤１４の水分吸着能力を回復させることができる。
【００９１】
また、吸湿剤１４は、含水量に応じて色が変化するため、吸湿剤１４の水分吸着能力の回復の有無を判別することができので、吸湿剤１４の交換時期を的確に把握することができる。
【００９２】
また、上述したように、ヒーター１２と吸湿剤１４とを収容部５４に収容して電池ボックス３８に備える構成である。このため、デジタル秤本体部３内に電池ボックス３８を取り付けるためには、従来の電池ボックスの収容スペースに加えて、この収容部５４を収めることができるだけのスペースを確保すればよい。つまり、電池ボックス３８をデジタル秤本体部３内に収容可能とするために、このデジタル秤本体部３内に新たな部材等を設ける必要がなく製造コストを抑制することができる。
【００９３】
また、ヒーター１２が電池ボックス３８に備えられているため、デジタル秤１の稼動時には電池ボックス３８とともにヒーター１２もデジタル秤本体部３内に収容された状態となる。このため、デジタル秤１とは別体でヒーター１２を準備しておく必要がなくユーザの負担が増大することはない。
【００９４】
また、電池ボックス３８の電池３９は、デジタル秤１を稼動させるためだけの電源として利用されるため、この電池３９を、ヒーター１２の稼動用電源としても利用する構成と比較して、電力の消費速度を低減させることができる。このため、電池３９を、デジタル秤１の稼動用の電源、およびヒーター１２の稼動用の電源として利用する構成と比較して電池３９の充電回数を抑制することができ、ユーザ負担が増大することはない。
【００９５】
なお、本実施の形態に係るデジタル秤１は、歪ゲージ式ロードセルを利用して物品（被計量物）の重量を求める秤であるが、これに限定されるものではない。例えば、荷重センサとして電磁力平衡方式（電磁力補償方式、電磁式）を採用した電子天秤などのような秤であってもよいし、静電容量方式を採用した秤であってもよい。
【００９６】
また、本実施形態では、筐体が防水レベルに密閉され、防水対策が施された電子機器として、デジタル秤１を例に挙げて説明した。しかしながら、デジタル秤１に限定されるものではない。外部からの浸水に起因して筐体内の電子部品等に不具合が生じないように密閉された構成となっており、かつ蓄電池を電源とする電子機器であればよい。
【００９７】
また、上記では電池ボックス３８がデジタル秤本体部３内に着脱自在の場合について説明したが、電池ボックス３８をデジタル秤本体部３から取り外すことができない場合は、以下の構成とすることもできる。すなわち、ヒーター１２を稼動させる電源を電池３９となるように配線し、デジタル秤１を稼動させる状態と、ヒーター１２を稼動させて吸湿剤１４を乾燥させる状態をと切り替える状態切り替えスイッチを設ける。また、デジタル秤本体部３における接合部１０に取り付けるシール部材にシリコンゴムを採用する。つまり、シリコンゴムは水分が水蒸気の状態のときには透過性を増す性質を有しているため、ヒーター１２により熱せられて水蒸気の状態となった水分を外部に逃がすことができる。また水蒸気は、上述した防水透湿性素材２７を通じて外部に逃がすこともできる。
【００９８】
以下に、本実施形態の変形例を説明する。
【００９９】
［変形例１］
本実施の形態に係るデジタル秤１では、電池ボックス３８の収容部５４に吸湿剤１４を収容して、デジタル秤本体部３内に配置する構成であったが、この構成に限定されるものではない。例えば、図６に示すような乾燥ユニット３６に吸湿剤１４を収容して、図７に示すように、デジタル秤本体部３内において、電池ボックス３８が収容される場所以外のところに乾燥ユニット３６を取り付ける構成としてもよい。
【０１００】
そして、電池ボックス３８に収容された電池３６の充電時に、乾燥ユニット３６から取り出した吸湿剤１４を電池ボックス３８の収容部５４に装填して、該吸湿剤１４の乾燥を行う構成としてもよい。図６は本発明の他の実施形態に係るデジタル秤１の乾燥ユニット３６の分解図である。また、図７は、図６における乾燥ユニット３６の取り付け位置を示すデジタル秤１の断面図である。
【０１０１】
例えば、乾燥ユニット３６は、図６に示すように、吸湿剤１４を収容するための乾燥ユニット本体部３７と、キャップ４２とを備えてなる構成として実現できる。より具体的には、乾燥ユニット本体部３７は、図６に示すように、円筒形の軸部６０と多角形状の頭部６１とを備えた柱状の形状（いわゆるボルト形状）をしている。頭部６１は、乾燥ユニット本体部３７の基端部に形成され、軸部６０は、乾燥ユニット本体部３７の頭部６１を除いた全部分に形成されている。
【０１０２】
ここで、軸部６０は、吸湿剤収容部６０ａ、ねじ溝６０ｂ、およびゴムパッキン６０ｃを備えてなる構成である。
【０１０３】
吸湿剤収容部６０ａは、吸湿剤１４を収容するための中空部分である。この中空部分は、軸部６０のほぼ全長に渡って形成されており、また、軸部６０の先端において開口部が設けられている。つまり、開口部から吸湿剤１４を挿入して、この吸湿剤収容部６０ａに収容することができるようになっている。また、軸部６０の壁面には吸湿剤収容部６０ａまで貫通した複数の穴が形成されており、この穴により水分を含む空気が入り込むことができるようになっている。
【０１０４】
ねじ溝６０ｂは、乾燥ユニット３６をデジタル秤本体部３に設けられているねじ穴（開口、雌ねじ）に挿入して螺合するためのものである。このねじ溝６０ｂは、軸部６０における頭部６１側の一定範囲に形成されている。
【０１０５】
ゴムパッキング６０ｃは、乾燥ユニット３６のデジタル秤本体部３への装着後、その装着位置から浸水することを防ぐためのものである。このゴムパッキング６０ｃは、軸部６０における頭部６１の座面近傍に設けられる。
【０１０６】
キャップ４２は、吸湿剤収容部６０ａに収容した吸湿剤１４が乾燥ユニット本体部３７から抜け落ちないようにするために、吸湿剤収容部６０の先端部に設けられた開口部を塞ぐものである。
【０１０７】
なお、上述した乾燥ユニット３６は、透明の合成樹脂から形成されており、該乾燥ユニット３６内に収容された吸湿剤１４の色の変化を識別できる構成になっている。
【０１０８】
上述した構成を有する乾燥ユニット３６は、図７に示すように、デジタル秤本体部３の内部において水気を嫌う部材の近傍に吸湿剤１４が配置されるように取り付けられることが好適である。さらにまた、外部から浸水しにくい取り付け位置、あるいは吸湿剤１４の水分の吸着力の状態を確認し易い位置であることが好ましい。図７では、デジタル秤本体部３の後方における側部に乾燥ユニット３６ｂが、デジタル秤本体部３の前方側の底部に乾燥ユニット３６ａが取り付けられている例を示している。
【０１０９】
より具体的には、水気を嫌う部材近傍に吸湿剤が配置されるように取り付けられる位置とは、例えば、図７に示すように、制御基板４１と電池３９との間、ロードセル４０の近傍などに吸湿剤１４が位置するような取り付け位置が挙げられる。また、外部からの浸水が生じにくい位置としては、乾燥ユニット３６とデジタル秤本体部３との螺合位置がデジタル秤本体部３の底部２０となる位置（図７で示す例では乾燥ユニット３６ａの位置）が挙げられる。また、吸湿剤１４の水分の吸着力の状態を確認しやすい位置としては、乾燥ユニット３６とデジタル秤本体部３との螺合位置がデジタル秤本体部３の側面となる位置（図７で示す例では乾燥ユニット３６ｂの位置）が挙げられる。
【０１１０】
乾燥ユニット３６は、少なくとも、水気を嫌う部材近傍に吸湿剤１４が配置されればよく、乾燥ユニット３６とデジタル秤本体部３との螺合位置をデジタル秤本体部３の底部２０とするのか、側面とするのかは、デジタル秤１の使用態様に応じて適宜決定されることが好適である。
【０１１１】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１１２】
本発明の電子機器は、防水性を備えかつ内部における結露を防止可能な電子機器等として有用である。
【符号の説明】
【０１１３】
１    デジタル秤
３    デジタル秤本体部
４    筐体
５    底板
５ａ  外縁部
５ｂ  開口部
６    カバー部材
６ａ  当接部
７    底蓋
８    開口
９Ａ  シール部材
９Ｂ  シール部材
１０  接合部
１１  ダイヤフラム
１２  ヒーター
１３  熱検知部
１６  サーモスタット
１４  吸湿剤
１７  ピンインサートコネクタ
１８  ソケットインサートコネクタ
１９  ＡＣアダプタ
２０  底部
２１  ダイオード
２２〜２５  ねじ
２６  秤電源コネクタ
２９  起歪体
３０  歪ゲージ
３６  乾燥ユニット
３６ａ  乾燥ユニット
３６ｂ  乾燥ユニット
３７  乾燥ユニット本体部
３８  電池ボックス
３９  電池
４０  ロードセル
４１  制御基板
５０  仕切り部
５１  固定部
５２ａ〜５２ｄ  側面
５３  底面
５４  収容部  
６０  軸部
６０ａ  吸湿剤収容部
６０ｂ  ねじ溝
６０ｃ  ゴムパッキン
６１  頭部
６１ａ〜６１ｄ  側面
【図３】
0005757726.tif 000002
【図６】
0005757726.tif 000003
【図１】
0005757726.tif 000004
【図２】
0005757726.tif 000005
【図４】
0005757726.tif 000006
【図５】
0005757726.tif 000007
【図７】
0005757726.tif 000008